(57)【要約】【課題】濃バーナユニットにおける左右のガス通路への燃焼用空気の分割供給を安定化させる。【解決手段】淡バーナユニット２の左側の端縁１６において、濃バーナユニット３の濃ガス入口１４，１４間にあって両入口を仕切る部分には、取付枠２０に形成された筒状の上バーリング孔２３が嵌合可能な一対の切り込み１７，１７が形成され、両切り込み１７，１７の間は、先端が端縁１６よりも外方へ突出し、その突出方向へ行くに従って幅が狭くなるテーパ状の差込部１８が形成されて、濃淡バーナ１の取付状態で、差込部１８が上バーリング孔２３内を左右へ等分に仕切るようになっている。【選択図】  図２
2004301444.tif 000002
【特許請求の範囲】
【請求項１】
ガスと燃焼用空気とが供給される淡ガス入口と、その淡ガス入口から供給されたガスと燃焼用空気との混合気が通過するガス通路と、そのガス通路の下流側に設けられて混合気を噴出可能な淡炎口とからなる淡バーナユニットと、その淡バーナユニットの左右に組み付けられ、ガスと燃焼用空気とが供給される濃ガス入口と、その濃ガス入口から供給されたガスと燃焼用空気との混合気が通過するガス通路と、そのガス通路の下流側に設けられて前記主炎口の外側に位置し、混合気を噴出可能な濃炎口とからなる左右一対の濃バーナユニットとからなり、前記左右の濃ガス入口が、前記淡バーナユニットの端縁によって左右に仕切られる濃淡バーナであって、
前記淡バーナユニットの端縁における前記濃ガス入口の仕切部分に、濃淡バーナの取付枠に形成される筒状のバーリング孔が嵌合可能な一対の切り込みを形成すると共に、その切り込みの間を、前記バーリング孔内へ差し込まれて前記バーリング孔内を左右に仕切る差込部としたことを特徴とする濃淡バーナ。
【請求項２】
差込部の先端が、淡バーナユニットの端縁よりも突出したものである請求項１に記載の濃淡バーナ。
【請求項３】
差込部が、先端へ行くに従って先細りとなるテーパ状である請求項１または２に記載の濃淡バーナ。
【発明の詳細な説明】
【０００１】
【発明の属する技術分野】
本発明は、中央の淡炎口とその両側の濃炎口とを備え、給湯器等のガス燃焼器具に用いられる濃淡バーナ（低ＮＯｘバーナ）に関する。
【０００２】
【従来の技術】
給湯器等のガス燃焼器具においては、ＮＯｘ（窒素酸化物）の排出量削減のために、中央の淡炎口で理論空燃比より燃料の希薄な混合気を燃焼させて主炎を形成し、その淡炎口の両側の濃炎口で理論空燃比より燃料の濃い混合気を燃焼させて袖火を形成する濃淡バーナ（低ＮＯｘバーナ）が用いられることがある。この濃淡バーナは、例えば特許文献１に示すように、板金によるプレス成形等により淡ガス入口及びガス通路が形成され、上面に複数のスリット炎口からなる淡炎口を備えた淡バーナユニットと、その淡バーナユニットの上方部に左右から挟み込む格好で組み付け固定され、組み付け状態で左右に濃ガス入口及びガス通路が、淡炎口の左右に濃炎口が夫々形成される濃バーナユニットとから形成されている。
【０００３】
また、この濃淡バーナは、ノズル台が取り付けられる取付枠に対して複数個が並列状に取り付けられ、その取付状態で、淡バーナユニットの淡ガス入口と濃バーナユニットの濃ガス入口とが、取付枠に形成された筒状のバーリング孔に夫々外嵌し、各バーリング孔に臨ませたノズル台のガスノズルが夫々のガス入口に対向するようになっている。
【０００４】
【特許文献１】
特開２００１−１８２９１０号公報
【０００５】
【発明が解決しようとする課題】
このようなガス入口とバーリング孔との嵌合による取付構造において、特に濃バーナユニット側の濃ガス入口及びガス通路は、構造上淡バーナユニットを中心にして左右に仕切られる格好となる。よって、バーリング孔との干渉を防ぐために、淡バーナユニットの端縁における濃ガス入口の仕切部分をバーリング孔の形状に合わせて四角形状に切り欠く必要がある。しかし、この切欠きによって、実際に仕切られる左右の入口とガスノズルとの距離が遠くなるため、左右のガス通路への燃焼用空気の供給量にばらつきが生じ、混合比率が左右で異なって袖火の燃焼が不均一となるおそれがあった。
【０００６】
そこで、請求項１に記載の発明は、濃バーナユニットにおける左右のガス通路への燃焼用空気の分割供給が安定し、良好な袖火の燃焼が可能な濃淡バーナを提供することを目的としたものである。
【０００７】
【課題を解決するための手段】
上記目的を達成するために、請求項１に記載の発明は、淡バーナユニットの端縁における濃ガス入口の仕切部分に、濃淡バーナの取付枠に形成される筒状のバーリング孔が嵌合可能な一対の切り込みを形成すると共に、その切り込みの間を、バーリング孔内へ差し込まれてバーリング孔内を左右に仕切る差込部としたことを特徴とするものである。
請求項２に記載の発明は、請求項１の目的に加えて、燃焼用空気の分割をより精度良く行うために、差込部の先端を、淡バーナユニットの端縁よりも突出させたものである。
請求項３に記載の発明は、請求項１または２の目的に加えて、差込部があっても組立性を損なわないようにするために、差込部を、先端へ行くに従って先細りとなるテーパ状としたものである。
【０００８】
【発明の実施の形態】
以下、本発明の実施の形態を図面に基づいて説明する。
図１は、本発明の濃淡バーナの一例を示す分解斜視図で、濃淡バーナ１は、主炎を形成する淡炎口を備えた淡バーナユニット２と、袖火を形成する濃炎口を備えた濃バーナユニット３とからなる。淡バーナユニット２は、プレス成形した二枚の板金４，４を、上部に炎口ユニット９を挟持固定する格好で互いにスポット溶接及びカシメ接合して形成され、この淡バーナユニット２の上部に、同じく板金５によるプレス成形によって上端の連結片６，６を残して上方が開口される濃バーナユニット３を両側から挟み込んでスポット溶接することで、両者が一体に組み付けられる。
【０００９】
また、淡バーナユニット２は、左右の板金４，４に形成した凹凸によって、下側側縁に長円形状の淡ガス入口７が、上側端縁に炎口部８が夫々開口形成され、炎口部８内に、所定間隔をおいて厚み方向に接合された複数の板金からなる炎口ユニット９が収容されて、炎口部８の上端に長手方向へ６分割される淡炎口１０，１０・・を開口させている。なお、濃バーナユニット３の濃炎口１１は、濃バーナユニット３の組み付けによって淡バーナユニット２との間に形成される開口で、淡炎口１０，１０・・の左右両側に位置すると共に、各連結片６によって淡炎口１０の位置に合わせて同様に長手方向で６分割される。
【００１０】
また、淡バーナユニット２における淡ガス入口７と炎口部８との間には、Ｕ字状のガス通路１２が横向きに形成されて、下端を淡ガス入口７に、上端を炎口部８に夫々接続させているが、ガス通路１２と炎口部８との接続部分は、上方へ行く程長手方向の寸法が長くなるテーパ状の均圧室１３に形成されて、ガス通路１２の上端から炎口部８の全体への混合気の供給を図っている。同様に濃バーナユニット３においても、淡バーナユニット２の左右に、淡ガス入口７の上方に位置し、左右で円形となる濃ガス入口１４，１４と、左右の濃ガス入口１４と濃炎口１１とを夫々接続するガス通路１５，１５とが形成されている。
【００１１】
そして、板金４，４の組み付け状態での淡バーナユニット２の左側の端縁１６において、濃バーナユニット３の濃ガス入口１４，１４の仕切部分には、後述する取付枠に形成された筒状のバーリング孔が嵌合可能な一対の切り込み１７，１７が形成され、両切り込み１７，１７の間は、先端が端縁１６よりも外方へ突出し、その突出方向へ行くに従って先細りとなるテーパ状の差込部１８が形成されている。
【００１２】
以上の如く構成された濃淡バーナ１においては、図２に示すように、濃淡バーナ１の全体が縦姿勢のまま納まる取付枠２０に複数個並列状に取り付けられる。この取り付けと同時に、下側の淡ガス入口７が取付枠２０の前壁部２１に形成された筒状の下バーリング孔２２に外嵌すると共に、上側の濃ガス入口１４，１４が同じく筒状の上バーリング孔２３に外嵌する。この濃ガス入口１４，１４の外嵌は、差込部１８を上バーリング孔２３に差し込むようにして行えば、切り込み１７，１７に上バーリング孔２３が嵌合し、差込部１８が上バーリング孔２３を貫通して前壁部２１の外側に突出する状態で固定される。この状態で、上バーリング孔２３内は、差込部１８によって図３の如く左右へ等分に仕切られることとなる。
【００１３】
一方、前壁部２１の外側には、ノズル台２４が固定されて、下側に設けられた淡ガス用ノズル２５が、下バーリング孔２２に連結された淡ガス入口７の中心線延長上に位置すると共に、上側に設けられた濃ガス用ノズル２６が、上バーリング孔２３に連結された濃ガス入口１４，１４の円形の中心線延長上に位置する。なお、ノズル台２４においては、淡ガス用ノズル２５と淡ガス入口７との距離の方が、濃ガス用ノズル２６と濃ガス入口１４との距離よりも長くなるように位置設定されている。
【００１４】
よって、ノズル台２４からガスが供給されると、淡ガス用ノズル２５から噴出されたガスが、燃焼用空気を取り込んで淡ガス入口７に供給され、混合気となってガス通路１２を通って炎口部８に至り、放電電極等の着火手段によって着火されて淡炎口１０，１０・・で主炎として燃焼する。一方、濃ガス用ノズル２６から噴出されたガスも、燃焼用空気を取り込んで濃ガス入口１４，１４に供給され、混合気となってガス通路１５，１５を通り、濃炎口１１，１１で袖火として燃焼することになるが、この濃ガス入口１４，１４への供給の際、差込部１８が濃ガス用ノズル２６の近くまで突出して上バーリング孔２３内を等分に仕切っているので、図３の点線矢印で示すガスと共に、実線矢印で示す燃焼用空気は左右の濃ガス入口１４，１４へ均等に分割供給されることになる。
【００１５】
このように上記形態の濃淡バーナ１によれば、淡バーナユニット２の端縁１６における濃ガス入口１４，１４の仕切部分に、取付枠２０に形成される上バーリング孔２３が嵌合可能な一対の切り込み１７，１７を形成すると共に、その切り込み１７，１７の間を、上バーリング孔２３内へ差し込まれて上バーリング孔２３内を左右に仕切る差込部１８としたことで、濃ガス入口１４，１４への燃焼用空気の分割供給が安定して行われる。よって、常に一定比率の混合気が濃炎口１１，１１へ供給されて袖火の燃焼が良好となる。
また、差込部１８の先端を、淡バーナユニット２の端縁１６よりも突出させているから、燃焼用空気の分割供給をより精度良く行うことができる。
さらに、差込部１８を、先端へ行くに従って先細りとなるテーパ状としているから、差込部１８を設けても上バーリング孔２３内への差し込みが容易となって組立性を損なうことがない。
【００１６】
なお、差込部の形状は、上記形態のようなテーパ状とすると取付枠への組立性の向上に繋がって好ましいが、四角形状としても良い。四角形状とすれば、バーリング孔の内部を略完全に仕切る格好となるため、燃焼用空気の左右への均等な分割供給がより精度良く行われるという利点がある。
また、差込部の長さは、淡バーナユニットの端縁よりも突出させる場合は、濃ガス用ノズルに近接或いは当接するまで延長することも可能である。
【００１７】
【発明の効果】
請求項１に記載の発明によれば、濃ガス入口への燃焼用空気の分割供給が安定し、常に一定比率の混合気が濃炎口へ供給されて袖火の燃焼が良好となる。
請求項２に記載の発明によれば、請求項１の効果に加えて、差込部の先端を、淡バーナユニットの端縁よりも突出させたことで、燃焼用空気の分割供給をより精度良く行うことができる。
請求項３に記載の発明によれば、請求項１または２の効果に加えて、差込部を、先端へ行くに従って先細りとなるテーパ状としたことで、差込部を設けてもバーリング孔内への差し込みが容易となって組立性を損なうことがない。
【図面の簡単な説明】
【図１】濃淡バーナの分解斜視図である。
【図２】濃淡バーナの取付状態を示す説明図である。
【図３】濃ガス入口部分の拡大断面図である。
【符号の説明】
１・・濃淡バーナ、２・・淡バーナユニット、３・・濃バーナユニット、７・・淡ガス入口、８・・炎口部、１０・・淡炎口、１１・・濃炎口、１２，１５・・ガス通路、１４・・濃ガス入口、１７・・切り込み、１８・・差込部、２０・・取付枠、２２・・下バーリング孔、２３・・上バーリング孔、２４・・ノズル台。
【図１】
2004301444.tif 000003
【図２】
2004301444.tif 000004
【図３】
2004301444.tif 000005